(57)【要約】【課題】愛玩動物を保定しながら愛玩動物の体温を調節可能な愛玩動物用温調手袋を提供することを課題とする。【解決手段】温調手袋１は、手及び温調材５を挿通可能な開口２ａが設けられ、その開口２ａを介してそれぞれ繋がる第１及び第２袋部２ｂ，２ｃを内部に有する袋体２、及び第１及び第２袋部２ｂ，２ｃの間に設けられる断熱シート３を備える。袋体２が、手及び温調材５を挿通可能な開口２ａを介してそれぞれ繋がる第１及び第２袋部２ｂ，２ｃを内部に有することで、開口２ａを介して第１及び第２袋部２ｂ，２ｃの一方に温調材５を入れ、その一方の袋部側に手のひらを向けて他方の袋部に手を入れることができ、第１及び第２袋部２ｂ，２ｃの間に断熱シート３が設けられていることで、過度の熱さ又は冷たさを感じることなく手のひらで温調材５を愛玩動物の体に当てることで、愛玩動物を保定しながら愛玩動物の体温を調節することができる。【選択図】図１
0003206315.tif 000002
【実用新案登録請求の範囲】
【請求項１】
愛玩動物の体温を調節するための愛玩動物用温調具であって、
温調材を挿通可能な開口が設けられた第１袋部を内部に有する袋体と、
前記第１袋部の一側に設けられた断熱部材と、
前記断熱部材の前記第１袋部と逆側に設けられた、前記第１袋部を把持するために掌又は指を挿入する固定部と、
を備えることを特徴とする愛玩動物用温調具。
【請求項２】
請求項１に記載の愛玩動物用温調具であって、
前記固定部は、掌を挿入する第２袋部であり、
前記第１及び第２袋部は、前記開口を介してそれぞれ繋がり、前記袋体の内部に設けられ、
前記断熱部材は前記第１及び第２袋部の間に設けられ、
全体として袋状であることを特徴とする、愛玩動物用温調手袋。
【請求項３】
前記第１及び第２袋部の一方を形成する袋部材は、他方を形成する袋部材より厚いことを特徴とする、請求項２に記載の愛玩動物用温調手袋。
【請求項４】
前記第１及び第２袋部の一方を形成する袋部材に、前記袋体の外側に開く穴部が設けられていることを特徴とする、請求項２又は３に記載の愛玩動物用温調手袋。
【請求項５】
前記第１及び第２袋部の他方を形成する袋部材に、前記一方の袋部の穴部と大きさの異なる前記袋体の外側に開く穴部が設けられていることを特徴とする、請求項４に記載の愛玩動物用温調手袋。
【請求項６】
前記第１及び第２袋部は、異なる容積を有することを特徴とする、請求項２から５のいずれか一項に記載の愛玩動物用温調手袋。
【請求項７】
前記開口を、前記第１及び第２袋部の少なくとも一方に対して開閉する開閉部材をさらに備えることを特徴とする、請求項２から６のいずれか一項に記載の愛玩動物用温調手袋。
【請求項８】
前記第１及び第２袋部の一方に設けられた温調材をさらに備えることを特徴とする、請求項７に記載の愛玩動物用温調手袋。
【請求項９】
前記温調材は、冷却材であることを特徴とする、請求項８に記載の愛玩動物用温調手袋。
【請求項１０】
前記袋体は、手の形を有することを特徴とする、請求項２から９のいずれか一項に記載の愛玩動物用温調手袋。
【考案の詳細な説明】
【技術分野】
【０００１】
本考案は、愛玩動物の体温を調節するための愛玩動物用温調具、及び袋状の愛玩動物用温調具である愛玩動物用温調手袋に関する。
【背景技術】
【０００２】
犬、猫等の愛玩動物について、夏の暑い日には体を冷やし、冬の寒い日には体を温めて、体温を調節することがある。例えば、片方の腕で愛玩動物を抱え、もう片方の腕で温調材を愛玩動物の体に押し当てることで、任意の体部について体温を調節する。しかし、片方の腕で温調材を操作するために、片方の腕のみで愛玩動物を不安定に抱えることになる。
【０００３】
出願人は、特許文献１に、愛玩動物の頭部に装着する帽子であり、側頭部及び後頭部を覆う部分に冷却具を封入する袋部が設けられた冷却帽を開示した。冷却帽を愛玩動物の頭部に装着することで、手を触れることなく愛玩動物の頭部、特に首まわりの首筋やリンパ節の周囲及び後頭部を効率的に冷却することができる。しかし、頭部以外の任意の体部、例えば腋下のリンパ腺や脚の付け根を冷却するためには、冷却材を手に持つことが必要となる。
【先行技術文献】
【特許文献】
【０００４】
【特許文献１】実用新案登録３１８１１０６号公報
【考案の概要】
【考案が解決しようとする課題】
【０００５】
本考案は、愛玩動物を保定しながら愛玩動物の体温を調節可能な愛玩動物用温調手袋を提供することを課題とする。
【課題を解決するための手段】
【０００６】
本考案は、愛玩動物の体温を調節するための愛玩動物用温調具であって、温調材を挿通可能な開口が設けられた第１袋部を内部に有する袋体と、第１袋部の一側に設けられた断熱部材と、断熱部材の第１袋部と逆側に設けられた第１袋部を把持するために掌又は指を挿入する固定部と、を備える愛玩動物用温調具である。
【０００７】
これによれば、袋体が、温調材を挿通可能な開口が設けられた第１袋部を内部に有することで、開口を介して第１袋部に温調材を入れることができる。また、断熱部材とその第１袋部と逆側に設けられた固定部一方の袋部側に掌をおくことができ、第１袋部と掌との間に断熱部材が設けられていることで、過度の熱さ又は冷たさを感じることなく掌で温調材を愛玩動物の体に当てることで、愛玩動物の体温を調節することができる。その際、固定部によって掌に第１袋部が固定されるので、第１袋部を介して愛玩動物を保定することができる。
【０００８】
本考案の愛玩動物用温調手袋は、本考案の愛玩動物用温調具であって、固定部は掌を挿入する第２袋部であり、第１及び第２袋部は開口を介してそれぞれ繋がり袋体の内部に設けられ、断熱部材は第１及び第２袋部の間に設けられ、全体として袋状であることを特徴とする。
【０００９】
これによれば、袋体が、手及び温調材を挿通可能な開口を介してそれぞれ繋がる第１及び第２袋部を内部に有することで、開口を介して第１及び第２袋部の一方に温調材を入れ、その一方の袋部側に手のひらを向けて他方の袋部に手を入れることができ、第１及び第２袋部の間に断熱部材が設けられていることで、過度の熱さ又は冷たさを感じることなく温調材を愛玩動物の体に当てて、愛玩動物の体温を調節することができる。
【００１０】
本考案の愛玩動物用温調手袋は、第１及び第２袋部の一方を形成する袋部材は、他方を形成する袋部材より厚いことを特徴とする。
【００１１】
これによれば、第１及び第２袋部の一方を形成する袋部材が他方を形成する袋部材より厚いことで、一方の袋部と他方の袋部とで温調材を入れたときの熱が伝わる程度を変えることができる。すなわち、第１袋部と第２袋部とで、温調材と愛玩動物との間の伝熱性が相違する。必要とされる温調の度合いに応じて、第１袋部と第２袋部とを使い分けることができる。
【００１２】
本考案の愛玩動物用温調手袋は、第１及び第２袋部の一方を形成する袋部材に、袋体の外側に開く穴部が設けられていることを特徴とする。
【００１３】
第１及び第２袋部の一方を形成する袋部材に袋体の外側に開く穴部が設けられていることで、その一方の袋部に温調材を入れると、穴部の伝熱性が高く（穴部が大きい場合には温調材が愛玩動物の体に直に当たり）、強く温調することができる。
【００１４】
本考案の愛玩動物用温調手袋は、第１及び第２袋部の他方を形成する袋部材に、一方の袋部の穴部と大きさの異なる袋体の外側に開く穴部が設けられていることを特徴とする。
【００１５】
これによれば、第１及び第２袋部の他方を形成する袋部材に一方の袋部の穴部と大きさの異なる袋体の外側に開く穴部が設けられていることで、一方又は他方の袋部に温調材を入れて温調する際に、大きさの異なる穴部を使い分けることで温調の効率を変えることができる。
【００１６】
本考案の愛玩動物用温調手袋は、第１及び第２袋部は、異なる容積を有する。
【００１７】
これによれば、第１及び第２袋部が異なる容積を有することで、第１及び第２袋部のいずれに温調材を入れることで、愛玩動物の体を冷やすのに適量の温調材を適当な容積の袋部に入れることができる。
【００１８】
本考案の愛玩動物用温調手袋は、開口を、第１及び第２袋部の少なくとも一方に対して開閉する開閉部材をさらに備える。
【００１９】
これによれば、開口を第１及び第２袋部の少なくとも一方に対して開閉する開閉部材をさらに備えることで、開閉部材により一方の袋部に温調材を入れて開口を閉じることで、温調材を袋体内に封じることができる。
【００２０】
本考案の愛玩動物用温調手袋は、第１及び第２袋部の一方に設けられた温調材をさらに備える。
【００２１】
これによれば、第１及び第２袋部の一方に設けられた温調材を利用して、外部から温調材を挿入せずに、愛玩動物の体温を調節することができる。
【００２２】
本考案の愛玩動物用温調手袋は、温調材は冷却材である。
【００２３】
これによれば、愛玩動物を冷却することができる。
【００２４】
本考案の愛玩動物用温調手袋は、袋体は、手の形を有することを特徴とする。
【００２５】
これによれば、袋体に手を入れ、その手により袋体を保持することができる。
【考案の効果】
【００２６】
本考案の愛玩動物用温調手袋によれば、愛玩動物を保定しながら愛玩動物の体温を調節することが可能となる。
【図面の簡単な説明】
【００２７】
【図１】図１は、愛玩動物用温調手袋の構成を示す図である。（実施例１）
【図２】図２は、愛玩動物用温調手袋の構成を示す図である。（実施例２）
【図３】図３は、愛玩動物用温調手袋の構成を示す図である。（実施例３）
【図４】図４は、愛玩動物用温調手袋の構成を示す図である。（実施例４）
【考案を実施するための形態】
【００２８】
以下、本考案の実施例について説明する。
【実施例１】
【００２９】
図１に、愛玩動物用温調手袋（温調手袋とも呼ぶ）１の構成を示す。図１（Ａ）及び図１（Ｂ）は、それぞれ、正面図及び図１（Ａ）における基準線ＢＢに関する断面図である。温調手袋１は、温調材を用いて愛玩動物の体温を調節するための手袋であり、袋体２、断熱シート３、及び紐部材４を含んで構成される。なお、図１（Ａ）における紙面手前側及び図１（Ｂ）における右側を表側、図１（Ａ）における紙面奥側及び図１（Ｂ）における左側を裏側とする。また、温調材として、氷や保冷材等の冷却材、体を温めるためのカイロのような加熱材を用いることができる。
【００３０】
袋体２は、開口２ａを介して温調材５を入れて手にはめる袋状の部材である。袋体２は、例えば布、ゴム等の可撓性を有する素材を用いて、正面視において手の形に成形される。本実施例では、親指を入れる部分とそれ以外の指を入れる部分との２つの部分を含むミトンの形状を採用する。なお、袋体２の形状はミトンの形状に限らず、任意の形状でよい。例えば、５つの指をそれぞれ入れる５つの部分と手のひらが入る部分とを含む形状でもよいし、５つの指のすべてを入れる１つの部分のみを含む形状でもよい。それにより、袋体２に手を入れ、その手により袋体２を保持することができる。
【００３１】
袋体２は、図面下側に手及び温調材５を挿通可能な開口２ａが設けられ、その開口２ａを介して図面上側にそれぞれ繋がる第１及び第２袋部２ｂ，２ｃを内部に有し、開口２ａの周囲に後述する紐部材４を通す挿通穴２ｄが設けられている。第１及び第２袋部２ｂ，２ｃは、袋体２の内部で、後述する断熱シート３を間に挟んで表側及び裏側に区画されている。それにより、開口２ａを介して第１及び第２袋部２ｂ，２ｃの一方、ここでは一例として第２袋部２ｃに温調材５を入れ、第２袋部２ｃ側、すなわち図１（Ｂ）における右側に手のひらを向けて第１袋部２ｂに右手を入れることができる。また、逆に、第１袋部２ｂに温調材５を入れ、第１袋部２ｂ側、すなわち図１（Ｂ）における左側に手のひらを向けて第２袋部２ｃに左手を入れることができる。
【００３２】
断熱シート３は、第１及び第２袋部２ｂ，２ｃの間に設けられ、袋体２の内部でそれらを区画するとともに、第１及び第２袋部２ｂ，２ｃの間での熱伝達を抑える部材である。断熱シート３として、例えば、アルミニウムシートを採用することができる。他のものを採用してもよく、例えばウール布、袋部材２と同じ布を厚手に成形してたもの、その他の素材を断熱シート３としてもよい。それにより、第１及び第２袋部２ｂ，２ｃの一方に温調材５を入れ、他方に手を入れた際に、温調材５の過度の熱さ又は冷たさを感じることなく手のひらで温調材５を愛玩動物の体に当てることで、片手で愛玩動物の体温を調節することができる。
【００３３】
紐部材４は、袋体２の開口２ａを開閉するための部材である。紐部材４は、例えば布、繊維、ナイロン等を用いて紐状に成形され、袋体２の挿通穴２ｄに通して両端が結ばれている。袋体２に対して紐部材４を引くことで開口２ａを閉じ、開口２ａを開いて紐部材４を挿通穴２ｄに戻すことで開口２ａを開くことができる。それにより、一方の袋部に温調材５を入れて開口２ａを閉じて、温調材５を袋体２内に封じることができる。
【００３４】
ここで、第１及び第２袋部２ｂ，２ｃを形成する袋部材、すなわち袋体２の表面部材と裏面部材とのそれぞれに袋体２の外側に開く穴部２ｂ０，２ｃ０が設けられている。図１（Ｂ）に示すように第２袋部２ｃに温調材５を入れ、その温調材５を穴部２ｃ０を介して、または第１袋部２ｂに温調材５を入れ、その温調材５を穴部２ｂ０を介して愛玩動物の体に直に当てて温調することができる。ここで、穴部２ｂ０，２ｃ０の大きさは異なってもよい。一方の袋部に温調材５を入れて、その温調材を穴部を介して愛玩動物の体に直に当てて温調する際に、大きさの異なる穴部２ｂ０，２ｃ０を使い分けることで温調の効率を変えることができる。例えば、穴部２ｂ０，２ｃ０の大きさを少なくとも１．５倍程度変えることによって、熱が伝わる程度を十分に変えることができる。第１及び第２袋部２ｂ，２ｃで温調材５を入れる袋部を使い分けることで、長時間の緩やかな温調と短時間の急な温調とに利用することができる。
【００３５】
なお、第１及び第２袋部２ｂ，２ｃを形成する袋部材、すなわち袋体２の表面部材と裏面部材とで、厚みが異なってもよい。これによっても、第１及び第２袋部２ｂ，２ｃの間で温調材５を入れたときの熱が伝わる程度を変えることができる。このとき、第１及び第２袋部２ｂ，２ｃの間で袋部材の厚みを少なくとも１．２倍程度変えるとよい。これにより、熱が伝わる程度を十分に変えることができる。第１及び第２袋部２ｂ，２ｃで温調材５を入れる袋部を使い分けることで、長時間の緩やかな温調と短時間の急な温調とに利用することができる。
【００３６】
以上のとおり、穴部２ｂ０，２ｃ０の大きさ、第１及び第２袋部２ｂ，２ｃを形成する袋部材の厚さ、その他によって熱が伝わる程度を十分に変え、第１及び第２袋部２ｂ，２ｃで温調材５を入れる袋部を使い分けることで、長時間の緩やかな温調と短時間の急な温調とに利用することができる。
【００３７】
なお、本実施例の温調手袋１では、第１及び第２袋部２ｂ，２ｃは等しい容積を有するよう形成されているが、これに限らず、異なる容積を有するよう形成してもよい。それにより、第１及び第２袋部２ｂ，２ｃのいずれに温調材５を入れることで、愛玩動物の体を冷やすのに適量の温調材５を適当な容積の袋部に入れることができる。このとき、容積を例えば２倍程度変えるとよい。それにより、２倍程度異なる容積の温調材５を入れることができる。
【００３８】
なお、温調材５を入れる第１及び第２袋部２ｂ，２ｃの一方の口部の周囲に挿通穴２ｄを設け、これに紐部材４を通すことで、温調材５を入れる一方の袋部を開閉することとしてもよい。
【００３９】
また、袋体２の挿通穴２ｄに通す紐部材４に限らず、例えば、面ファスナを採用してもよい。一方のファスナを袋体２の開口２ａの周囲の一部に設け、これに他方のファスナのファスナ面を対向して端部を袋体２に固定する。他方のファスナを引き、一方のファスナにとめることで、開口２ａを閉じることができる。
【００４０】
以上のとおり、紐部材４、面ファスナ、その他の手段によって袋部を開閉することができる。
【００４１】
以上詳細に説明したように、本実施例の温調手袋１は、手及び温調材５を挿通可能な開口２ａが設けられ、その開口２ａを介してそれぞれ繋がる第１及び第２袋部２ｂ，２ｃを内部に有する袋体２、及び第１及び第２袋部２ｂ，２ｃの間に設けられる断熱シート３を備える。袋体２が、手及び温調材５を挿通可能な開口２ａを介してそれぞれ繋がる第１及び第２袋部２ｂ，２ｃを内部に有することで、開口２ａを介して第１及び第２袋部２ｂ，２ｃの一方に温調材５を入れ、その一方の袋部側に手のひらを向けて他方の袋部に手を入れることができ、第１及び第２袋部２ｂ，２ｃの間に断熱シート３が設けられていることで、過度の熱さ又は冷たさを感じることなく手のひらで温調材５を愛玩動物の体に当てることで、片手で愛玩動物の体温を調節することができる。
【００４２】
なお、温調手袋１を、左右対称な形状に構成してもよい。また、温調手袋１と、これと左右対称な形状の温調手袋と、をセットにしてもよい。それにより、それぞれ左手用及び右手用として使用することができる。
【００４３】
なお、温調手袋１に、第１及び第２袋部２ｂ，２ｃの一方に温調材５を備えてもよい。
【実施例２】
【００４４】
本実施例は、穴部２ｂ０，２ｃ０について実施例１と異なる構造を有するものである。他の部分については、実施例１と同様であり、詳細な説明を省略する。
【００４５】
穴部２ｂ０，２ｃ０は、１つのみの穴でなく、多くの穴から構成されてもよい。図２に、本実施例にかかる愛玩動物用温調手袋１の構成を示す。図１と比較すると、穴部２ｂ０，２ｃ０が多くの小さな穴となっている。温調材を愛玩動物の体に直に当てて温調する効果は、図１の愛玩動物用温調手袋１同様である。小さな穴であることにより、複数の小型の温調材を第１袋部２ｂ又は第２袋部２ｃに入れ使用しても、温調材が穴部から温調手袋１の外に出てしまうことがない。
【００４６】
例えば、冷却材を持たずに夏の暑い日に外出した時に、砕いた氷を購入して冷却材とすることができる。穴が小さく、氷が第１及び第２袋部２ｂ，２ｃから外に出てしまうことがないためである。むろん、冷蔵庫において製氷した氷を用いることもできる。
【実施例３】
【００４７】
本実施例も、穴部２ｂ０，２ｃ０について実施例１と異なる構造を有するものである。他の部分については、実施例１と同様であり、詳細な説明を省略する。
【００４８】
穴部２ｂ０，２ｃ０は、方形であってもよい。図３に、本実施例にかかる愛玩動物用温調手袋１の構成を示す。図１と比較すると、穴部２ｂ０，２ｃ０が方形であり、メッシュ領域２ｃ１（２ｂ１：非図示）に設けられている。すなわち、紐状の繊維等をメッシュ状に編むことで、穴部２ｂ０，２ｃ０を有するメッシュ領域２ｂ１，２ｃ１が形成される。メッシュの粗さを替えて、穴部２ｂ０，２ｃ０の面積を相違させることもできる。
【００４９】
メッシュ領域は図示したように方形でなくともよい。例えば、第１及び第２袋部２ｂ，２ｃを形成する袋部材の表面全体をメッシュ領域とすることができる。袋部材の表面全体が１枚の布となり、生産が容易である。袋部材の表面全体を糸を編んだ布によって形成すれば、粗さの相違こそあれメッシュ状であり、本実施例の温調手袋１となる。
【実施例４】
【００５０】
本実施例は、袋部が１のみのものである。他の部分については、実施例１と同様であり、詳細な説明を省略する。
【００５１】
図４に、本実施例にかかる愛玩動物用温調手袋１の構成を示す。第１袋部２ｂについては実施例１と同様であるが、第２袋部２ｃは設けられていない。このため、断熱シート３が愛玩動物用温調手袋１の外部に露出している。
【００５２】
断熱シート３の第１袋部２ｂと反対側に、図４（Ａ）（Ｂ）に示すように固定具６ａが設けられている。固定具６ａは例えばゴム紐であり、両端が断熱シート３に接合され、中央部分は接合されていない。断熱シート３と固定具６とによって、手の平を通すリングが構成される。
【００５３】
そのリングに手の平を通すと、愛玩動物用温調手袋１が手の平に略固定される。断熱シート３を介して温調材を把持し、愛玩動物に当接することができる。
【００５４】
手の平を通すための固定具６ａに替えて（又は加えて）、図４（Ｃ）に示すように複数の指を通す固定具６ｂを設けてもよい。
【産業上の利用可能性】
【００５５】
本考案の愛玩動物用温調手袋は、愛玩動物を保定しながら愛玩動物の体温を調節するのに好適である。
【符号の説明】
【００５６】
１      愛玩動物用温調手袋（温調手袋）
２      袋体
２ａ    開口
２ｂ    第１袋部
２ｂ０  穴部
２ｃ    第２袋部
２ｃ０  穴部
２ｃ１  メッシュ領域
２ｄ    挿通穴
３      断熱シート
４      紐部材
５      温調材
６ａ    固定具
６ｂ    固定具
【図１】
0003206315.tif 000003
【図２】
0003206315.tif 000004
【図３】
0003206315.tif 000005
【図４】
0003206315.tif 000006